(57)【特許請求の範囲】
【請求項１】
タッチパネル式の表示部を備える携帯情報端末で実行する表示画面制御方法であって、
コンテンツ情報を表示する第１エリア、入力する文字列を含む情報を表示する第２エリア、及び文字入力のためのキーボードを表示する第３エリアを併設する第１の表示画像と、上記第１の表示画像から第１エリアを廃して、上記第２エリアを拡大した第２の表示画像とのいずれか一方を上記表示部に表示させる表示ステップと、
上記第２エリアに表示される文字列をもとにした切換条件に基づいて、上記第１の表示画像と上記第２の表示画像とを切り換える切換制御ステップとを備えたことを特徴とする表示画面制御方法。
【請求項２】
上記第１の表示画像は、上記入力する文字列を含む情報を表示するエリアの拡大を指示する第１のボタン画像を含み、
上記第２の表示画像は、上記入力する文字列を含む情報を表示するエリアの縮小を指示する第２のボタン画像を含み、
上記切換制御ステップは、さらに上記第１のボタン画像または第２のボタン画像に対するタッチ入力に応じて上記第１の表示画像と上記第２の表示画像とを切り換えることを特徴とする請求項１記載の表示画面制御方法。
【請求項３】
上記切換条件を予め設定して記憶する記憶ステップをさらに備え、
上記切換制御ステップは、上記記憶ステップで記憶した切換条件の成立を判断して上記第１の表示画像と上記第２の表示画像とを切り換えることを特徴とする請求項１記載の表示画面制御方法。
【請求項４】
上記第２エリアに表示される文字列をもとにした切換条件は、ＵＲＬ（Ｕｎｉｆｏｒｍ  Ｒｅｓｏｕｒｃｅ  Ｌｏｃａｔｏｒ）、メールアドレス、及び電話番号の少なくとも１つを表す文字列の入力とすることを特徴とする請求項１記載の表示画面制御方法。
【請求項５】
上記切換制御ステップは、さらに文字以外のコンテンツ情報の付帯が指示された状態を切換条件として、上記第１の表示画像から上記第２の表示画像に切り換えることを特徴とする請求項１記載の表示画面制御方法。
【請求項６】
上記コンテンツ情報に対する、１コメント当たりの平均文字数、連続閲覧時間、コメント投稿回数の少なくとも１つをアクセス履歴として記録する履歴記録ステップをさらに備え、
上記切換制御ステップは、上記アクセス履歴をもとにした条件を上記切換条件として上記第１の表示画像と上記第２の表示画像とを切り換えることを特徴とする請求項１記載の表示画面制御方法。
【請求項７】
タッチパネル式の表示部を備える携帯情報端末で実行するプログラムであって、
前記携帯情報端末に、
コンテンツ情報を表示する第１エリア、入力する文字列を含む情報を表示する第２エリア、及び文字入力のためのキーボードを表示する第３エリアを併設する第１の表示画像と、上記第１の表示画像から第１エリアを廃して、上記第２エリアを拡大した第２の表示画像とのいずれか一方を上記表示部に表示させる表示ステップと、
上記第２エリアに表示される文字列をもとにした切換条件に基づいて、上記第１の表示画像と上記第２の表示画像とを切り換える切換制御ステップとを実行させるプログラム。
【請求項８】
タッチパネル式の表示部を備える表示画面制御装置であって、
コンテンツ情報を表示する第１エリア、入力する文字列を含む情報を表示する第２エリア、及び文字入力のためのキーボードを表示する第３エリアを併設する第１の表示画像と、上記第１の表示画像から第１エリアを廃して、上記第２エリアを拡大した第２の表示画像とのいずれか一方を上記表示部に表示させる表示手段と、
上記第２エリアに表示される文字列をもとにした切換条件に基づいて、上記第１の表示画像と上記第２の表示画像とを切り換える切換制御手段とを備えたことを特徴とする表示画面制御装置。
【発明の詳細な説明】
【技術分野】
【０００１】
本発明は、特に表示画面容量が制限されるスマートフォンやタブレットなどの携帯情報端末に好適な表示画面制御方法、その方法を格納したプログラム及び表示画面制御装置に関する。
【背景技術】
【０００２】
表示画面を縦長表示状態及び横長表示状態に切替可能な構成を用いて、受信した電子メールに関連する画面を良好に表示することができる携帯電話機を提供するべく考えられた技術が提案されている。（例えば、特許文献１）
【先行技術文献】
【特許文献】
【０００３】
【特許文献１】特開２００８−１９２０３４号公報
【発明の概要】
【発明が解決しようとする課題】
【０００４】
上記特許文献に記載された技術は、表示専用の画面を有効に使用するためのものである。一方で、近年のスマートフォンやタブレット端末に代表される、表示部がタッチパネルと一体化された入力部を兼ねた携帯機器では、文字入力時にはキーボードに相当する画像を併せて画面内に表示することになる。
【０００５】
したがって、例えばコメント作成などの文字入力時には、その時点で実行しているアプリケーションプログラムのコンテンツを表示する領域、入力する文字列を表示する領域、及び文字入力のためのキーボードを表示する領域を、容量が制限された画面内に効率的に配置する必要が生じる。
【０００６】
本発明は上記のような実情に鑑みてなされたもので、その目的とするところは、タッチパネルを備えた携帯情報端末において、コンテンツを表示する領域と入力文字列を表示する領域とをユーザの用途に応じて表示画面内に適切に配置することが可能な表示画面制御方法、その方法を格納したプログラム及び表示画面制御装置を提供することにある。
【課題を解決するための手段】
【０００７】
本発明の一態様は、タッチパネル式の表示部を備える携帯情報端末で実行する表示画面制御方法であって、コンテンツ情報を表示する第１エリア、入力する文字列を含む情報を表示する第２エリア、及び文字入力のためのキーボードを表示する第３エリアを併設する第１の表示画像と、上記第１の表示画像から第１エリアを廃して、上記第２エリアを拡大した第２の表示画像とのいずれか一方を上記表示部に表示させる表示ステップと、上記第２エリアに表示される文字列をもとにした切換条件に基づいて、上記第１の表示画像と上記第２の表示画像とを切り換える切換制御ステップとを備えたことを特徴とする。
【発明の効果】
【０００８】
本発明によれば、タッチパネルを備えた携帯情報端末において、コンテンツを表示する領域と入力文字列を表示する領域とをユーザの用途に応じて表示画面内に適切に配置することが可能となる。
【図面の簡単な説明】
【０００９】
【図１】本発明の一実施形態に係るスマートフォンの電子回路の機能構成を示すブロック図。
【図２】同実施形態に係る表示画面の切換処理の内容を示すフローチャート。
【図３】同実施形態に係る表示画面の例を示す図。
【図４】同実施形態に係る表示画面の例を示す図。
【図５】同実施形態に係る表示画面の例を示す図。
【発明を実施するための形態】
【００１０】
以下、本発明をスマートフォンに適用した場合の一実施形態について図面を参照して説明する。  
図１は、本実施形態に係るスマートフォン１０の電子回路の機能構成を示すブロック図である。同図で、ＣＰＵ１１がこのスマートフォン１０全体の制御動作を司るものであり、このＣＰＵ１１にシステムバスＳＢを介して、メインメモリ１２、ソリッドステートドライブ（ＳＳＤ）１３、３Ｇ＆４Ｇ通信部１４、無線ＬＡＮ通信部１５、外部メモリカード１６、表示部１７、タッチパネル入力部１８、キー入力部１９、音声処理部２０、及び画像処理部２１が接続される。
【００１１】
ＣＰＵ１１は、ソリッドステートドライブ１３に記憶された動作プログラム（ＯＳとそのＯＳ上で動作するアプリケーションプログラム）及び定型データ等を読出し、メインメモリ１２に展開して記憶させた上で当該プログラムを実行することにより、このスマートフォン１０の動作全体を統括して制御する。
【００１２】
メインメモリ１２は、例えばＳＲＡＭで構成され、上記ＣＰＵ１１のワークメモリとして機能する。ソリッドステートドライブ１３は、不揮発性のメモリ、例えばフラッシュメモリで構成され、上述した動作プログラムや各種定型データの他、このスマートフォン１０の記憶媒体として各種コンテンツ、例えば画像データや楽曲データ等を記憶する。
【００１３】
３Ｇ＆４Ｇ通信部１４は、ＩＭＴ−２０００規格に準拠した第３世代移動通信システム、及びＩＭＴ−Ａｄｖａｎｃｅ規格に準拠した第４世代移動通信システムに基づき、アンテナ２２を介して最寄りの図示しない基地局との間でデータの送受を実行する、デュアルモードで動作する通信部である。
【００１４】
無線ＬＡＮ通信部１５は、例えばＩＥＥＥ８０２．１１ａ／ｂ／ｇ／ｎ規格に基づき、アンテナ２３を介して最寄りの図示しないアクセスポイント等とデータを送受する。
【００１５】
表示部１７は、バックライト付きのＴＦＴカラー液晶パネルとその駆動部とで構成され、各種画像を表示する。
【００１６】
タッチパネル入力部１８は、透明電極を用いて上記表示部１７と一体にして構成され、ユーザのタッチ操作に対応した２次元の位置座標情報を生成して出力する。
【００１７】
キー入力部１９は、スマートフォン１０のケーシングに設けられた、電源キーやカメラ機能のシャッタキーを含むいくつかのキースイッチとその駆動回路で構成される。
【００１８】
音声処理部２０は、システムバスＳＢを介して与えられるデジタル音声データをアナログ化してスピーカ２４より出力させる一方で、マイクロホン２５から入力されたアナログの音声信号をサンプリングし、デジタルデータ化して出力する。
【００１９】
画像処理部２１は、光学レンズ系２６を介して、例えばＣＣＤ（Ｃｈａｒｇｅ  Ｃｏｕｐｌｅｄ  Ｄｅｖｉｃｅ：電荷結合素子）などで構成される固体撮像素子２７の撮像面に合焦された光像に応じて固体撮像素子２７から出力される画像信号をデジタルデータ化し、予め設定されたファイル形式、例えば静止画像であればＪＰＥＧ（Ｊｏｉｎｔ  Ｐｈｏｔｏｇｒａｐｈｉｃ  Ｅｘｐｅｒｔｓ  Ｇｒｏｕｐ）などによりデータ量を圧縮したファイルデータを作成して出力する。
【００２０】
次に上記実施形態での動作について説明する。  
なお、以下に示す動作は、上述した如くＣＰＵ１１がソリッドステートドライブ１３に記憶された動作プログラム等を読出し、メインメモリ１２上に展開して記憶させた上で実行する。上記ソリッドステートドライブ１３に記憶された動作プログラムは、このスマートフォン１０の工場出荷時にソリッドステートドライブ１３に記憶されていたものに限らず、このスマートフォン１０のユーザが上記アンテナ２２及び３Ｇ＆４Ｇ通信部１４、または上記アンテナ２３及び無線ＬＡＮ通信部１５を介して外部から入力したプログラムを含む。
【００２１】
図２は、このスマートフォン１０のユーザ自身がコメント入力を行なう可能性があるアプリケーションプログラムの実行時、例えばウェブブラウザによりコミュニティサイトの電子掲示板を閲覧する際に、ＣＰＵ１１が表示部１７で表示している画像に対して実行する、基本的な画像の切換制御に関する処理内容を示すものである。
【００２２】
その当初にＣＰＵ１１は、当該サイトで公開しているコンテンツをメインとする第１の表示形態での処理を実行する（ステップＳ１０１）。
【００２３】
図３は、表示部１７においてある電子掲示板での「イズ」さんの書込みを閲覧している状態を示す。ここでは、画面の最下端に１行分の文字入力エリアＣＩと「投稿」ボタンＰＢとを配置しており、その他の大部分を閲覧エリアＢＲとしている。
【００２４】
上記のような表示状態から、文字入力エリアＣＩに対するタップ操作があるか否かにより、文字入力の指示がなされたかどうかを判断し（ステップＳ１０２）、ないと判断した場合には再び上記ステップＳ１０１からの処理に戻る。
【００２５】
こうしてステップＳ１０１，Ｓ１０２の処理を繰返し実行することで、閲覧エリアＢＲを主とした第１の表示形態での処理を実行しながら、入力の指示がなされるのを待機する。
【００２６】
文字入力エリアＣＩに対するタップ操作があった場合、ＣＰＵ１１は上記ステップＳ１０２で文字入力の指示がなされたものと判断し、第２の表示形態での処理状態に遷移する（ステップＳ１０３）。
【００２７】
図４（Ａ）は、この第２の表示形態で表示部１７に表示する画像を例示する。同図（Ａ）では、閲覧エリアＢＲを大幅に縮小し、その下部に上記図３と同様の１行分の文字入力エリアＣＩと「投稿」ボタンＰＢとを配している。
【００２８】
さらにその下部に１行分の操作ガイドエリアＯＧを配し、残る下部に文字入力のためのキーボードエリアＫＢを配している。
【００２９】
上記操作ガイドエリアＯＧには、画像等の添付を指示するための添付ボタンＡＢ、入力文字数表示ＣＣ、及び上記文字入力エリアＣＩを拡大させるための拡大ボタンＥＢを配する。  
上記キーボードエリアＫＢは、ここではアルファベット入力状態を例示しているが、数字入力、かな入力にも切り換えることが可能であるものとする。
【００３０】
このような第２の表示形態での処理を実行しながら、ＣＰＵ１１は上記「投稿」ボタンＰＢの操作により入力の終了が指示されたか否かを判断する（ステップＳ１０４）。  
まだ「投稿」ボタンＰＢが操作されず、入力の終了が指示されていないと判断した場合、さらにＣＰＵ１１は上記拡大ボタンＥＢがタッチ操作されたか否かを判断する（ステップＳ１０５）。
【００３１】
ここで拡大ボタンＥＢが操作されていないと判断した場合、ＣＰＵ１１は次いで予め設定された条件が成立したか否かを判断する（ステップＳ１０６）。  
ここでは条件として、例えば
・入力文字数が文字入力エリアＣＩに入る桁数を超えた場合
・入力文字列中に「ｗｗｗ」及び「ｈｔｔｐ」の少なくとも一方を含むＵＲＬ（Ｕｎｉｆｏｒｍ  Ｒｅｓｏｕｒｃｅ  Ｌｏｃａｔｏｒ）が入っていた場合  ・入力文字列中に文字「＠」を含むメールアドレスが入っていた場合
・入力文字列中に数字「０」で始まる１０桁以上の数字による電話番号が入っていた場合
・上記添付ボタンＡＢの操作により、画像ファイルなど、文字以外のコンテンツデータが添付された場合  の５つのケースが予め設定されているものとする。
【００３２】
上記ステップＳ１０６で予め設定した条件も成立していないと判断した場合、ＣＰＵ１１は再び上記ステップＳ１０３からの処理に戻って、第２の表示形態での処理を続行する。
【００３３】
上記ステップＳ１０５で拡大ボタンＥＢがタッチ操作されたと判断した場合、または上記ステップＳ１０６で予め設定された条件のいずれかが成立したと判断した場合、ＣＰＵ１１は上記第２の表示形態から第３の表示形態での処理状態に遷移する（ステップＳ１０７）。
【００３４】
図４（Ｂ）は、この第３の表示形態で表示部１７に表示する画像を例示する。同図（Ｂ）では、上記図４（Ａ）での閲覧エリアＢＲの表示を廃止して、その上部で、「コメント」入力専用の画面としたことを「キャンセル」ボタンＣＢ及び「投稿」ボタンＰＢを左右に配置して表示すると共に、上記文字入力エリアＣＩに比して大幅に範囲を広げた拡大文字入力エリアＥＣＩを配置している。
【００３５】
なお操作ガイドエリアＯＧ及びキーボードエリアＫＢは、上記図４（Ａ）の第２の表示形態からそのまま表示状態を継承しているが、操作ガイドエリアＯＧでは上記拡大ボタンＥＢに代えて、上記拡大文字入力エリアＥＣＩを縮小させるための縮小ボタンＲＢを配する。
【００３６】
この第３の表示形態での処理を実行しながら、ＣＰＵ１１は上記「キャンセル」ボタンＣＢまたは「投稿」ボタンＰＢのタッチ操作により入力の終了が指示されたか否かを判断する（ステップＳ１０８）。  
まだ「キャンセル」ボタンＣＢ、「投稿」ボタンＰＢのいずれも操作されず、入力の終了が指示されていないと判断した場合、さらにＣＰＵ１１は上記縮小ボタンＲＢがタッチ操作されたか否かを判断する（ステップＳ１０９）。
【００３７】
ここで縮小ボタンＲＢがタッチ操作されていないと判断した場合、ＣＰＵ１１は上記ステップＳ１０７からの処理に戻り、第３の表示形態での処理を続行する。
【００３８】
また上記ステップＳ１０９で縮小ボタンＲＢがタッチ操作されたと判断した場合、ＣＰＵ１１は上記ステップＳ１０３からの処理を実行し、上記図４（Ｂ）で示した第３の表示形態から上記図４（Ａ）で示した第２の表示形態に戻って処理を続行する。  
さらに上記ステップＳ１０４で第２の表示形態から入力の終了が指示された場合、及び上記ステップＳ１０８で第３の表示形態から入力の終了が指示された場合、ＣＰＵ１１は再び上記ステップＳ１０１からの処理を実行し、上記図３で示した第１の表示形態に戻って処理を続行する。
【００３９】
次に、上記図４での表示例に加えて、他のウェブサイトでの表示形態の切換えについても例示する。
【００４０】
図５（Ａ）は、表示部１７においてある電子掲示板での「リーチ☆」さんの書込みを閲覧しながら、コメントを入力している状態を示す。ここでは、閲覧エリアＢＲの下部に１行分の文字入力エリアＣＩと「投稿」ボタンＰＢとを配している。
【００４１】
さらにその下部に１行分の操作ガイドエリアＯＧ、及び１行分の候補表示エリアＣＤを配し、残る下部に文字入力のためのキーボードエリアＫＢを配している。
【００４２】
上記操作ガイドエリアＯＧには、画像等の添付を指示するための添付ボタンＡＢ、入力文字数表示ＣＣ、及び上記文字入力エリアＣＩを拡大させるための拡大ボタンＥＢを配する。  
上記候補表示エリアＣＤは、次に入力されるであろう文字の候補や入力中の文字に対するかな漢字変換の候補などを表示する。
【００４３】
上記キーボードエリアＫＢは、ここではかな入力状態を例示しているが、数字入力、アルファベット入力にも切り換えることが可能であるものとする。
【００４４】
上記図５（Ａ）に示した第２の表示形態から拡大ボタンＥＢがタッチ操作されたと判断した場合、あるいは上述した予め設定された条件のいずれかが成立したと判断した場合、ＣＰＵ１１は上記第２の表示形態から第３の表示形態での処理状態に遷移する。
【００４５】
図５（Ｂ）は、この第３の表示形態で表示部１７に表示する画像を例示する。同図（Ｂ）では、上記図５（Ａ）での閲覧エリアＢＲの表示を廃止して、その上部で、「コメント」入力専用の画面としたことを「キャンセル」ボタンＣＢ及び「投稿」ボタンＰＢを左右に配置して表示すると共に、上記文字入力エリアＣＩに比して大幅に範囲を広げた拡大文字入力エリアＥＣＩを配置している。
【００４６】
以上詳述した如く本実施形態によれば、タッチパネルを備えた携帯情報端末において、ど、閲覧エリアＢＲを伴う文字入力エリアＣＩを併設した表示形態と、閲覧エリアＢＲを廃して大幅に表示できる容量を増やした拡大文字入力エリアＥＣＩを配設した表示形態とをユーザの意志や用途に応じて表示部に適切に切り換えて表示させることが可能となり、ユーザの入力状況を反映して、コメントのデータ等をより入力しやすい環境が実現できる。
【００４７】
なお上記実施形態では、表示部１７で表示する画像中に拡大ボタンＥＢ及び縮小ボタンＲＢを設けて、スマートフォン１０のユーザ自身のタッチ操作により任意に表示形態の切り換えを行なうことができるようにしたため、ユーザの意志を直接反映して使い勝手の良い入力環境が実現できる。
【００４８】
さらに上記実施形態では、例えば予め設定された条件が成立した時点で自動的に表示形態の切り換えを行なうことができるようにしたため、ユーザの負担を軽減しつつ使い勝手の良い入力環境が実現できる。
【００４９】
特に上記実施形態では、上記設定条件として、入力文字中にＵＲＬ（Ｕｎｉｆｏｒｍ  Ｒｅｓｏｕｒｃｅ  Ｌｏｃａｔｏｒ）やメールアドレス、及び電話番号の少なくとも１つが含まれていた場合、コメント全体が長文になるものと判断して自動的に拡大文字入力エリアＥＣＩを配設した表示形態に切換えるものとしたので、ユーザの使い勝手をより向上できる。
【００５０】
また上記設定条件としては、さらに添付ボタンＡＢ操作により文字列以外に何らかのコンテンツデータを付帯するものと判断した場合にも、自動的に拡大文字入力エリアＥＣＩを配設した表示形態に切換えるものとしたので、付帯するコンテンツデータを示すサムネイル画像等を拡大文字入力エリアＥＣＩ内で表示しても、文字入力のエリアを阻害することなく、ユーザの使い勝手をより向上できる。
【００５１】
添付ボタンＡＢ操作により付帯するコンテンツデータとしては、静止画像データに限らず、動画データ、地図データ、スタンプ画像、アバター画像、お勧めのアプリケーションプログラムなど、文字データに付帯できる範囲内ですべてのコンテンツデータを含む。
【００５２】
なお上記実施形態では説明しなかったが、上記予め設定された条件として、表示するサイトにおける１コメント当たりの平均文字数や、ユーザ自身が過去に同サイトに投稿した１コメント当たりの平均文字数、あるいはユーザが同サイトを過去に閲覧した際の連続閲覧時間やコメント投稿回数など、ユーザの履歴や当該サイトでの一般的な傾向等を考慮した上で予め用意した閾値と比較し、その比較結果に応じて表示形態を自動的に切換えるものとしてもよく、これによりユーザの使い勝手をより向上できる。
【００５３】
また上記実施形態は例えばコミュニティサイトの電子掲示板でコメントを入力して投稿する場合について説明したが、本発明はこれに限らず、サイトの閲覧と文字入力とを伴う他のネット利用環境でも同様に適用可能である。
【００５４】
なお上記実施形態は、本発明をスマートフォンに適用した場合について説明したものであるが、本発明はこれに限らず、モバイルタイプのパーソナルコンピュータやタブレット端末など、タッチパネルを備えた各種携帯情報端末であればいずれにも適用可能となる。
【００５５】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００５６】
１０…スマートフォン、１１…ＣＰＵ、１２…メインメモリ、１３…ソリッドステートドライブ（ＳＳＤ）、１４…３Ｇ＆４Ｇ通信部、１５…無線ＬＡＮ通信部、１６…外部メモリカード、１７…表示部、１８…タッチパネル入力部、１９…キー入力部、２０…音声処理部、２１…画像処理部、２２，２３…アンテナ、２４…スピーカ、２５…マイクロホン、２６…光学レンズ系、２７…固体撮像素子、ＡＢ…添付ボタン、ＢＲ…閲覧エリア、ＣＢ…「キャンセル」ボタン、ＣＣ…入力文字数表示、ＣＩ…文字入力エリア、ＫＢ…キーボードエリア、ＥＢ…拡大ボタン、ＯＧ…操作ガイドエリア、ＰＢ…「投稿」ボタン、ＲＢ…縮小ボタン、ＳＢ…システムバス。
【図１】
0005638097.tif 000002
【図２】
0005638097.tif 000003
【図３】
0005638097.tif 000004
【図４】
0005638097.tif 000005
【図５】
0005638097.tif 000006